【手続補正書】
【提出日】平成29年1月6日(2017.1.6)
【手続補正１】
【補正対象書類名】特許請求の範囲
【補正対象項目名】全文
【補正方法】変更
【補正の内容】
【特許請求の範囲】
【請求項１】
電力管理モジュールと、
前記電力管理モジュールに接続された無線周波数（ＲＦ)モジュールと、
前記電力管理モジュール及び前記ＲＦモジュールのそれぞれに接続され、１つ以上のＲＦ条件に基づき前記電力管理モジュールの少なくとも１つの設定を動的に調整するよう構成されたデジタルモジュールと、
ここにおいて、前記デジタルモジュールは、前記１つ以上のＲＦ条件が改善している間は、前記少なくとも１つの設定を第１の速度で動的に調整し、前記１つ以上のＲＦ条件が悪化している間は、第２のより速い速度で動的に調整するよう構成されている、
を含むデバイス。
【請求項２】
前記電力管理モジュールは、電力管理集積回路（ＰＭＩＣ)を含み、前記ＲＦモジュールは、無線周波数集積回路（ＲＦＩＣ)を含み、前記デジタルモジュールは、デジタル集積回路を含む、請求項１に記載のデバイス。
【請求項３】
前記１つ以上の条件は、受信信号強度インジケータ（ＲＳＳＩ)、エラーベクトル振幅（ＥＶＭ)およびビットエラーレート（ＢＥＲ)のうち１つ以上を含む、請求項１に記載のデバイス。
【請求項４】
前記少なくとも１つの設定は、ヘッドルーム電圧を含む、請求項１に記載のデバイス。
【請求項５】
前記デジタルモジュールは、前記ヘッドルーム電圧を漸進的に調整するよう構成されている、請求項４に記載のデバイス。
【請求項６】
前記デジタルモジュールは、前記ヘッドルーム電圧を１２．５ミリボルト単位で動的に調整するよう構成されている、請求項４に記載のデバイス。
【請求項７】
前記デジタルモジュールは、前記少なくとも１つの設定を複数の調整速度のうちの１つで動的に調整するよう構成されている、請求項１に記載のデバイス。
【請求項８】
前記デジタルモジュールは、前記少なくとも１つの設定を前記１つ以上のＲＦ条件に基づく動作の間、実質的に連続して動的に調整するよう構成されている、請求項１に記載のデバイス。
【請求項９】
１つ以上の無線周波数（ＲＦ）条件を受けることと、
前記１つ以上のＲＦ条件に基づいて少なくとも１つの電力管理設定を動的に調整することと、
ここにおいて、前記少なくとも１つの設定は、前記１つ以上のＲＦ条件が改善している間は、第１の速度で前記動的に調整され、前記１つ以上のＲＦ条件が悪化している間は、第２のより速い速度で前記動的に調整される、
を含む方法。
【請求項１０】
前記１つ以上のＲＦ条件を受けることは、デジタル集積回路のモデムから前記１つ以上のＲＦ条件を受けることを含む、請求項９に記載の方法。
【請求項１１】
前記少なくとも１つの設定を動的に調整することは、前記１つ以上のＲＦ条件に基づいて電力管理集積回路（ＰＭＩＣ)の前記少なくとも１つの設定を動的に調整するために、デジタル集積回路から制御信号を前記ＰＭＩＣに伝達することを含む、請求項９に記載の方法。
【請求項１２】
１つ以上のＲＦ条件を受けることは、受信信号強度インジケータ（ＲＳＳＩ)、エラーベクトル振幅（ＥＶＭ)およびビットエラーレート（ＢＥＲ)のうち少なくとも１つを受けることを含む、請求項９に記載の方法。
【請求項１３】
少なくとも１つの電力管理設定を動的に調整することは、電力管理モジュールのヘッドルーム電圧、前記電力管理モジュールのスイッチング周波数、および前記電力管理モジュールの制御回路構成のうち少なくとも１つを動的に調整することを含む、請求項９に記載の方法。
【請求項１４】
少なくとも１つの電力管理設定を動的に調整することは、低ドロップアウト（ＬＤＯ）レギュレータのヘッドルーム電圧を漸進的に調整することを含み、または、
少なくとも１つの電力管理設定を動的に調整することは、切り替えモード電力供給装置の出力電圧を調整することを含む、請求項９に記載の方法。
【請求項１５】
プロセッサにより実行されるとき、プロセッサに請求項９−１４のうちのいずれかのステップを実行させる命令を記憶するコンピュータ可読記憶媒体。
【手続補正２】
【補正対象書類名】明細書
【補正対象項目名】００２３
【補正方法】変更
【補正の内容】
【００２３】
[0039]開示された典型的な実施形態の上記説明は、いかなる当業者であっても、本発明の製造または使用を可能にするように提供される。これら典型的な実施形態への様々な修正は、当業者にとって容易に明らかであり、ここに定義された一般的な原理は、本発明の主旨または範囲から逸脱することなく、他の実施形態にも適用されうる。したがって、本発明は、ここに示された典型的な実施形態に限定されるようには意図されず、ここに開示される原理および新規な特徴と一致する最も広い範囲を与えられることとなる。
以下に、本願出願の当初の特許請求の範囲に記載された発明を付記する。
［Ｃ１］
電力管理モジュールと、
前記電力管理モジュールに接続された無線周波数（ＲＦ)モジュールと、
前記電力管理モジュール及び前記ＲＦモジュールのそれぞれに接続され、１つ以上のＲＦ条件に基づき前記電力管理モジュールの少なくとも１つの設定を動的に調整するよう構成されたデジタルモジュールと、
を含むデバイス。
［Ｃ２］
前記電力管理モジュールは、電力管理集積回路（ＰＭＩＣ)を含み、前記ＲＦモジュールは、無線周波数集積回路（ＲＦＩＣ)を含み、前記デジタルモジュールは、デジタル集積回路を含む、Ｃ１に記載のデバイス。
［Ｃ３］
前記１つ以上のパラメータは、受信信号強度インジケータ（ＲＳＳＩ)、エラーベクトル振幅（ＥＶＭ)およびビットエラーレート（ＢＥＲ)のうち１つ以上を含む、Ｃ１に記載のデバイス。
［Ｃ４］
前記少なくとも１つの設定は、ヘッドルーム電圧を含む、Ｃ１に記載のデバイス。
［Ｃ５］
前記デジタルモジュールは、前記ヘッドルーム電圧を漸進的に調整するよう構成されている、Ｃ４に記載のデバイス。
［Ｃ６］
前記デジタルモジュールは、前記ヘッドルーム電圧を１２．５ミリボルト単位で動的に調整するよう構成されている、Ｃ４に記載のデバイス。
［Ｃ７］
前記デジタルモジュールは、前記１つ以上のＲＦ条件が改善している間は、前記少なくとも１つの設定を第１の速度で動的に調整し、前記１つ以上のＲＦ条件が悪化している間は、第２のより速い速度で動的に調整するよう構成されている、Ｃ１に記載のデバイス。  
［Ｃ８］
前記デジタルモジュールは、前記少なくとも１つの設定を複数の調整速度のうちの１つで動的に調整するよう構成されている、Ｃ１に記載のデバイス。
［Ｃ９］
前記デジタル集積回路は、前記少なくとも１つの設定を前記１つ以上のＲＦ条件に基づく動作の間、実質的に連続して動的に調整するよう構成されている、Ｃ１に記載のデバイス。  
［Ｃ１０］
１つ以上の無線周波数（ＲＦ）条件を受けることと、
前記１つ以上のＲＦ条件に基づいて少なくとも１つの電力管理設定を動的に調整することと、
を含む方法。
［Ｃ１１］
前記１つ以上のＲＦ条件を受けることは、デジタル集積回路のモデムから前記１つ以上のＲＦ条件を受けることを含む、Ｃ１０に記載の方法。  
［Ｃ１２］
前記少なくとも１つの設定を動的に調整することは、前記１つ以上のＲＦ条件に基づいて電力管理集積回路（ＰＭＩＣ)の前記少なくとも１つの設定を動的に調整するために、デジタル集積回路から制御信号を前記ＰＭＩＣに伝達することを含む、Ｃ１０に記載の方法。 
［Ｃ１３］
１つ以上のＲＦ条件を受けることは、受信信号強度インジケータ（ＲＳＳＩ)、エラーベクトル振幅（ＥＶＭ)およびビットエラーレート（ＢＥＲ)のうち少なくとも１つを受けることを含む、Ｃ１０に記載の方法。
［Ｃ１４］
少なくとも１つの電力管理設定を動的に調整することは、電力管理モジュールのヘッドルーム電圧、前記電力管理モジュールのスイッチング周波数、および前記電力管理モジュールの制御回路構成のうち少なくとも１つを動的に調整することを含む、Ｃ１０に記載の方法。
［Ｃ１５］
少なくとも１つの電力管理設定を動的に調整することは、低ドロップアウト（ＬＤＯ）レギュレータのヘッドルーム電圧を漸進的に調整することを含む、Ｃ１０に記載の方法。
［Ｃ１６］
少なくとも１つの電力管理設定を動的に調整することは、切り替えモード電力供給装置の出力電圧を調整することを含む、Ｃ１０に記載の方法。 
［Ｃ１７］
プロセッサにより実行されるとき、プロセッサに
１つ以上の無線周波数（ＲＦ）条件を受けることと、
前記１つ以上のＲＦ条件に基づいて少なくとも１つの電力管理設定を動的に調整することと
を含む命令を実行させる命令を記憶したコンピュータ可読記憶媒体。
［Ｃ１８］
１つ以上の無線周波数（ＲＦ）条件を受けるための手段と、
前記１つ以上のＲＦ条件に基づいて少なくとも１つの電力管理設定を動的に調整するための手段と、
を含むデバイス。
［Ｃ１９］
前記受けるための手段は、受信信号強度インジケータ（ＲＳＳＩ)、エラーベクトル振幅（ＥＶＭ)およびビットエラーレート（ＢＥＲ)のうち少なくとも1つを受けるための手段を含む、Ｃ１８に記載のデバイス。
［Ｃ２０］
前記動的に調整するための手段は、電力管理モジュールのヘッドルーム電圧を動的に調整するための手段を含む、Ｃ１８に記載のデバイス。